(57)【特許請求の範囲】
【請求項１】
左右両端側に対設した一対の側面板間に上面板と下面板および前面板をそれぞれ張設してシャツターカーテンの収納空間を形成するようにした箱型シャツターケースの組み付け構造であって、該シャツターケースを構成する前記側面板の上下縁部には所定間隔を存して複数のボルト貫通孔を穿設した取り付け部を形成すると共に、前記上面板と下面板はその縁部側に所定間隔を存して突設したスタッドボルトを介して前記取り付け部に固定され、前面板は前記側面板と上面板および下面板に着脱自在に取着されていることを特徴とする建築用シャツターケースの組み付け構造。
【発明の詳細な説明】
【０００１】
【発明の属する技術分野】
本発明は、建物空間部を区画する建築用シャツターのシャツターカーテンを収納するようにしたシャツターケースの組み付け構造に関するものである。
【０００２】
【従来の技術】
建物開口部等に設置されシャツターカーテンの開閉により空間部を区画するようにした建築用シャツターは、巻き取られた前記シャツターカーテンを収納すべくシャツターケースが開口部上方位置躯体側に設けられており、該シャツターケースは機能や目的に合わせて種々のものが存在し、これらの中には大開口部に取り付けられる所詮重量シャツター用シャツターケースのように躯体側に取り付けた巻き取りドラム等の上廻り部分へ被装するために箱型に形成されたものがある。
そして、従来このような箱型のシャツターケースは工場での製造過程であらかじめ左右一対の側面板間に各面板を溶接手段によって組み付けた後、該溶接部分の仕上げと塗装工程を経て形成されるようになっている。これは取り付け現場において、溶接作業が煩雑である上、組み付け後の塗装作業が実際上行えないため製造段階においてシャツターケースを組み付け完成し、該完成品を現場搬入して取り付けるようにしている。
【０００３】
【発明が解決しようとする課題】
ところが、上記のように出荷時既に組み付けられたシャツターケースは、その空間容積が大きいため取り付け現場への搬送時においてトラック等運搬手段への積載効率が極めて悪いばかりか、溶接作業の際に発生する溶接スパッタや溶接痕を研磨除去した後に塗装作業をしなければならなく組立作業の煩雑さとコストアップを招いていた。
本発明は、シャツターケースを構成する側面板、上面板、下面板および前面板の各面板を単体で取り付け現場へ搬入した後、ボルトを介してその組み付けを可能とすることにより溶接作業とそれに伴う煩雑な作業を不要とすると共に搬送の効率化と在庫スペースの削減を図ることを解決課題とするものである。
【０００４】
【課題を解決するための手段】
本発明は、叙述の課題を解決するためになされたものであって、左右両端側に対設した一対の側面板間に上面板と下面板および前面板をそれぞれ張設してシャツターカーテンの収納空間を形成するようにした箱型シャツターケースの組み付け構造であって、該シャツターケースを構成する前記側面板の上下縁部には所定間隔を存して複数のボルト貫通孔を穿設した取り付け部を形成すると共に、前記上面板と下面板はその縁部側に所定間隔を存して突設したスタッドボルトを介して前記取り付け部に固定され、前面板は前記側面板と上面板および下面板に着脱自在に取着するようにしたものである。これによって、シャツターケースの組み付け作業の簡素化と搬送効率の著しい向上を図ると共に在庫スペースの削減を実現することができるようにしたものである。
【０００５】
【発明の実施の形態】
つぎに、本発明の実施の形態を図面に基づいて説明する。
図において１は、シャツターケースであって、該シャツターケース１は左右に配設した左右側面板２，３と上下面板４，５および前面板６とで箱型に形成されるものであるが、本実施の形態においては左側面板２と右側面板３とは前後方向の出巾寸法をそれぞれ異ならせてありこれら両側面板２，３間に更に中間側面板７を設けて平面視略Ｌ字状に形成されている。
【０００６】
左側面板２と右側面板３には、上下縁部に断面略Ｌ字状の取り付け部材8，8が溶着され、また縦縁部には縦折曲辺２ａ，３ａがそれぞれ対向するよう折り曲げ形成されている。
また、中間側面板７の上下縁部にも取り付け部材８，８が、また前後の縦縁部には縦折曲辺７ａ，７ａがそれぞれ左右側面板２，３側に向けて対称状に折り曲げ形成されている。そして、該断面略Ｌ字状の取り付け部材８の一側片である固定片８ａには長手方向に向けて所定間隔を存して長孔状のボルト貫通孔８ｂが複数個穿設されている。
【０００７】
上面板４と下面板５は平面視Ｌ字状の対称形に形成され、それぞれその長手方向一側縁に折曲辺４ａ，５ａが対向して折曲形成されている。そして、上述した左右側面板２，３の縦折曲辺２ａ，３ａ、中間側面板７の縦折曲辺７ａ、上面板４および下面板５の折曲辺４ａ，５ａは、それぞれ先端側をさらに段差状に折曲することによって各取付辺２ｂ，３ｂ，７ｂ，４ｂ，５ｄが形成され、これら各取付辺２ｂ，３ｂ，７ｂ，４ｂ，５ｄには所定間隔を存してそれぞれ複数個のタップ孔２ｃ，３ｃ，７ｃ，４ｃ，５ｅ，が穿設されると共に、これら左右の側面板２，３と中間側面板７に上面板４および下面板５を組み付けた際に略同一面上に位置するよう設定されている。
【０００８】
また下面板５の長手方向端部側には、長尺状のまぐさ材５ｂが固設してあり、該まぐさ材５ｂはシャツターカーテン最下端に位置する図示しない座板材の衝接を受けても容易に変形しないよう角パイプ状の部材で構成されている。
尚、５ｃは下面板５に設けられた補強アングルであり、該補強アングルは上面板４にも設けられている。
【０００９】
９は、上面板４と下面板５の対向面の左右両端側にそれぞれ突設された複数本のスタッドボルトであって、該スタッドボルト９は上記取り付け部材８の固定片８ａに穿設されたボルト貫通孔８ｂのピッチに対応した位置に設けられている。６は前面板であり、本実施の形態においては前面板６を大小二枚の矩形板で形成しその周縁部にはそれぞれ複数のねじ孔６ａが穿設されているものであるが、該ねじ孔６ａは前述したタップ孔２ｃ，３ｃ，７ｃ，４ｃ，５ｅに対応した位置に設けてある。
【００１０】
つぎに、叙述の如く形成した左側面板２，右側面板３，中間側面板７，上面板４，下面板５，前面板６を用いて本発明に係るシャツターケースを組み付け形成する場合の手順を説明する。
まず、上面板４と下面板５の左右端および中間部にそれぞれ突設したスタッドボルト９を、左側面板２と右側面板３および中間側面板７の上縁側と下縁側に設けた取り付け部材８のボルト貫通孔８ｂに貫通させ裏面側からナット１０で締結し、しかる後に正面側から前面板６を取付辺２ｂ，３ｂ，４ｂ，５ｄ，７ｂ，に当てがってねじ孔６ａを介して取付ねじ１１でタップ孔２ｃ，３ｃ，４ｃ，５ｅ，７ｃ，へ螺入して固定すればシャツターケース１の組み付けが完了する。そして、該シャツターケース１を開口部の躯体側に取り付けた後に内部メンテナンス等の必要が生じた場合には、正面側から取り付けねじ１１を緩めて前面板を取り外すことにより容易に行うことができる。
【００１１】
尚、本実施の形態においては、取り付け部は断面略Ｌ字状の取り付け部材８を設けて形成したたものを示したが、これに限られるものではなく左右側面板の縁部を折り曲げ形成しボルト貫通孔を穿設して取り付け部としたものであっても良く、また、シャツターケースの形状はＬ型とすることなく単に直方体に形成すると共に前面板を一枚板で構成しても良いことは勿論である。
【００１２】
【発明の効果】
本発明は、左右両端側に対設した一対の側面板間に上面板と下面板および前面板をそれぞれ張設してシャツターカーテンの収納空間を形成するようにした箱型シャツターケースの組み付け構造であって、該シャツターケースを構成する前記側面板の上下縁部には所定間隔を存して複数のボルト貫通孔を穿設した取り付け部を形成すると共に、前記上面板と下面板はその縁部側に所定間隔を存して突設したスタッドボルトを介して前記取り付け部に固定され、前面板は前記側面板と上面板および下面板に着脱自在に取着するように構成したものであるから、工場で製作したこれら各面板をシャツターの取り付け現場へ搬入した後に組み付けすることができるので在庫スペースの効率化と輸送上の積載効率が極めて良いものとなり、現場での組み付け作業も溶接作業を伴うことなく簡単に行うことができる。
【００１３】
また、上下面板は、スタッドボルトを介して側板に取り付けられているのでボルトが外部に露出することなく、従って外観を損なうことがない。さらに、シャツターケースの塗装もあらかじめ各面板毎に行うことができるので塗装作業の効率化と作業スペースの合理化が図れることとなる。
【図面の簡単な説明】
【図１】  シャツターケースの外観斜視図である。
【図２】  シャツターケースの分解斜視図である。
【図３】  シャツターケースの分解正面図である。
【図４】  右側面板と下面板の組み付け隅部を示す拡大斜視図である。
【符号の説明】
１    シャツターケース
２    左側面板
２ａ  縦折曲辺
３    右側面板
３ａ  縦折曲辺
４    上面板
４ａ  折曲辺
５    下面板
５ａ  折曲辺
６    前面板
６ａ  ねじ孔
７    中間側面板
７ａ  折曲辺
８    取り付け部材
８ａ  固定片
８ｂ  ボルト挿通孔
９    スタッドボルト
１０    ナット
１１    取付ねじ
【図１】
0003728724.tif 000002
【図２】
0003728724.tif 000003
【図３】
0003728724.tif 000004
【図４】
0003728724.tif 000005